(57)【特許請求の範囲】
【請求項１】
カラーテレビジョン受像機の輝度信号回路において、復調された輝度信号を入力しコントラスト制御信号によりコントラストを可変に制御するコントラスト制御回路と、前記コントラスト制御回路の出力を入力し制御信号により黒伸張の大きさを変えられる黒伸張補正回路と、前記黒伸張補正回路の出力と２つの色差信号とを混合しＲＧＢ信号を得るマトリクス回路と、前記マトリクス回路の３色の出力をそれぞれ入力しブラウン管を駆動することができる出力に増幅する３つの映像出力回路と、ベースがそれぞれ前記映像出力回路の３色の出力端子に接続されエミッタがそれぞれ前記ブラウン管の３色のカソードに接続されるとともに共通に接続されたコレクタから前記ブラウン管のカソード電流を検出するようにした３つのＰＮＰトランジスタと、前記３つのＰＮＰトランジスタのコレクタの共通接続点とグランド間に接続された抵抗と、前記３つのＰＮＰトランジスタのコレクタの共通接続点に入力端子が接続され映像信号の成分を分析して出力するＡ／Ｄコンバータと、前記Ａ／Ｄコンバータの出力を入力し映像信号の黒レベルを検出する黒レベル検出回路と、前記黒レベル検出回路の出力を入力し検出された黒レベルが所定の黒レベル設定値を超えると前記黒伸張補正回路を動作させ、前記黒レベル設定値を下回ると前記黒伸張補正回路の動作を停止させる制御信号を発生する黒検出処理回路と、前記Ａ／Ｄコンバータの出力を入力し映像信号の白レベルを検出する白レベル検出回路と、コントラスト設定値と前記白レベル検出回路の出力とを入力しコントラスト制御信号を発生する白検出処理回路とを備え、前記白検出処理回路の出力を前記コントラスト制御回路の制御信号入力端子に接続し、前記検出された白レベルが前記コントラスト設定値を超えるとコントラスト制御信号を下げてコントラストを減少させ、前記コントラスト設定値を下回ると前記コントラスト制御信号を上げてコントラストを上げるようにするとともに、前記黒検出処理回路の出力を前記黒伸張補正回路の制御信号入力端子に接続し、映像信号の黒レベルが前記設定値を超えないように前記制御信号により前記黒伸張補正回路を制御するようにしたことを特徴とする自動映像信号補正回路。
【請求項２】
カラーテレビジョン受像機の輝度信号回路において、黒レベル検出回路の出力を入力し、検出した黒レベルと所定の黒レベル設定値とを比較し、前記検出した黒レベルの方が前記所定の黒レベル設定値より大きいときは黒伸張制御信号値が制御範囲を超えていないことを確かめた後黒伸張制御信号を決められたステップだけ減少させるようにした黒検出処理回路を備えたことを特徴とする請求項１記載の自動映像信号補正回路。
【請求項３】
カラーテレビジョン受像機の輝度信号回路において、白レベル検出回路の出力を入力し、検出した白レベルと所定のコントラスト設定値とを比較し、前記検出した白レベルの方が前記コントラスト設定値より大きいときはコントラスト制御信号が制御範囲を超えていないことを確かめた後コントラスト制御信号を決められたステップだけ減少させ、前記検出した白レベルの方が前記コントラスト設定値より小さいときはコントラスト制御信号が制御範囲を超えていないことを確かめた後コントラスト制御信号を決められたステップだけ増加させるようにした白検出処理回路を備えたことを特徴とする請求項１記載の自動映像信号補正回路。
【請求項４】
カラーテレビジョン受像機の輝度信号回路において、復調された輝度信号を入力し制御信号により黒伸張の大きさを変えられる黒伸張補正回路と、前記黒伸張補正回路の出力と２つの色差信号とを混合しＲＧＢ信号を得るマトリクス回路と、前記マトリクス回路の３色の出力をそれぞれ入力しブラウン管を駆動することができる出力に増幅する３つの映像出力回路と、ベースがそれぞれ前記映像出力回路の３色の出力端子に接続されエミッタがそれぞれ前記ブラウン管の３色のカソードに接続されるとともに共通に接続されたコレクタから前記ブラウン管のカソード電流を検出するようにした３つのＰＮＰトランジスタと、前記３つのＰＮＰトランジスタが共通接続されたコレクタとグランド間に接続された抵抗と、前記３つのＰＮＰトランジスタの共通接続されたコレクタに入力端子が接続され映像信号の成分を分析して出力するＡ／Ｄコンバータと、前記Ａ／Ｄコンバータの出力を入力し映像信号の黒レベルを検出する黒レベル検出回路と、前記黒レベル検出回路の出力を入力し検出された黒レベルが設定値を超えると前記黒伸張補正回路を動作させ、前記設定値を下回ると前記黒伸張補正回路の動作を停止させる制御信号を発生する黒検出処理回路とを備え、前記黒検出処理回路の出力を前記黒伸張補正回路の制御信号入力端子に接続し、映像信号の黒レベルが前記設定値を超えないように前記制御信号により前記黒伸張補正回路を制御するようにしたことを特徴とする自動映像信号補正回路。
【請求項５】
カラーテレビジョン受像機の輝度信号回路において、復調された輝度信号を入力しコントラスト制御信号によりコントラストを可変に制御するコントラスト制御回路と、前記コントラスト制御回路の出力と２つの色差信号とを混合しＲＧＢ信号を得るマトリクス回路と、前記マトリクス回路の３色の出力をそれぞれ入力しブラウン管を駆動することができる出力に増幅する３つの映像出力回路と、ベースがそれぞれ前記映像出力回路の３色の出力端子に接続されエミッタがそれぞれ前記ブラウン管の３色のカソードに接続されるとともに共通に接続されたコレクタから前記ブラウン管のカソード電流を検出するようにした３つのＰＮＰトランジスタと、前記３つのＰＮＰトランジスタのコレクタの共通接続点とグランド間に接続された抵抗と、前記３つのＰＮＰトランジスタのコレクタの共通接続点に入力端子が接続され映像信号の成分を分析して出力するＡ／Ｄコンバータと、前記Ａ／Ｄコンバータの出力を入力し映像信号の白レベルを検出する白レベル検出回路と、コントラスト設定値と前記白レベル検出回路の出力とを入力しコントラスト制御信号を発生する白検出処理回路とを備え、前記白検出処理回路の出力を前記コントラスト制御回路の制御信号入力端子に接続し、前記検出された白レベルが前記コントラスト設定値を超えるとコントラスト制御信号を下げてコントラストを減少させ、前記コントラスト設定値を下回ると前記コントラスト制御信号を上げてコントラストを上げるようにしたことを特徴とする自動映像信号補正回路。
【発明の詳細な説明】
【０００１】
【産業上の利用分野】
本発明は、テレビジョン受像機の自動映像信号補正回路に関するものである。
【０００２】
【従来の技術】
近年、テレビジョン受像機の機能として、ＡＩと呼ばれる自動映像信号補正回路を有するものがある。その一例を図面で説明する。
【０００３】
図６は従来のＡＩと呼ばれる自動映像補正回路のブロック図である。図６において、２１は輝度信号を入力し輝度信号の大きさに分けるレベル分別回路、２２はレベル分別回路２１の出力を入力し累積ヒストグラムを作る累積ヒストグラム回路、２３は、入力した輝度信号に累積ヒストグラム回路２２で作成した折れ線近似補正を行う折れ線近似補正回路である。
【０００４】
次にこのＡＩ自動補正回路の動作について簡単に説明する。レベル分別回路２１に入力した輝度信号はそこでいくつかのコンパレータにより輝度成分に分別され、次の累積ヒストグラム回路２２に入力する。ここで明るい輝度信号が入力した時を考えると、このような輝度信号の時は明るい成分が多いので累積ヒストグラム回路２２の出力は下に凸の曲線になる。この下に凸の曲線を折れ線近似を行い、折れ線近似補正回路２３で輝度信号に施してやれば、暗い部分および中間輝度部分は暗く補正されるので、全体的に輝度バランスのとれた見やすい映像となる。全体的に暗い輝度信号が入力したときはこれと逆の補正が働き、暗い部分が明るく補正され、見やすい映像となる。
【０００５】
【発明が解決しようとする課題】
しかしながら、このようなＡＩ映像信号補正回路は、実時間で映像の補正が可能となり、非常に画質的に良好な結果が得られるものの、その補正に多くの回路素子を必要とし、安価なテレビジョン受像機では採用しにくい一面があった。
【０００６】
【課題を解決するための手段】
本発明は、かかる課題を解決するために、カラーテレビジョン受像機の輝度信号回路において、復調された輝度信号を入力しコントラスト制御信号によりコントラストを可変するようになしたコントラスト制御回路１と、前記コントラスト制御回路１の出力を入力し制御信号により黒伸長の大きさを変えられる黒伸長補正回路２と、前記黒伸長補正回路２の出力と２つの色差信号とを混合しＲＧＢ信号を得るマトリクス回路３と、前記マトリクス回路３の３色の出力をそれぞれ入力しブラウン管を駆動するだけの出力に増幅する３つの映像出力回路４と、映像出力回路４の３色の出力をそれぞれベースに入力しエミッタはそれぞれ３色のカソードに接続しコレクタはまとめて接続してブラウン管のカソード電流を検出するようになした３つのＰＮＰトランジスタ５と、前記３つのＰＮＰトランジスタ５のコレクタとグランド間に接続した抵抗６と、前記３つのＰＮＰトランジスタ５のコレクタとグランド間に接続した抵抗６との間に入力を接続したＡ／Ｄコンバータ７と、前記Ａ／Ｄコンバータ７の出力を入力し映像信号の黒レベルを検出する黒レベル検出回路８と、前記黒レベル検出回路８の出力を入力し設定値を超えると黒伸長補正回路を動作させ、設定値を下回ると黒伸長回路を停止させる制御信号を発生しその制御信号を前記黒伸長補正回路２の制御信号の入力に接続した黒検出処理回路９と、前記Ａ／Ｄコンバータの出力を入力し映像信号の白レベルを検出する白レベル検出回路１０と、コントラスト設定値と前記白レベル検出回路１０の出力とを入力し、設定値を超えるとコントラスト制御信号を下げてコントラストを減少させ、設定値を下回るとコントラスト制御信号を上げてコントラストを上げるようになした白検出処理回路１１、という構成を有する。
【０００７】
【作用】
本発明は、かかる構成により、映像信号の成分をＡ／Ｄコンバータを用いて分析し、安価なテレビジョン受像機でも有している機能であるコントラスト回路と黒伸長補正回路とを制御することにより、安価で有効な自動映像信号補正回路を構成することが可能となる。
【０００８】
【実施例】
以下、本発明の実施例について図を用いて説明を行う。
【０００９】
（実施例１）
図１は本発明の請求項１に係わる発明の構成を示すブロック図である。図１において、１は復調された輝度信号を入力しコントラスト制御信号をによりコントラストを可変するようになしたコントラスト制御回路である。２は前記コントラスト制御回路１の出力を入力し制御信号により黒伸長の大きさを変えられる黒伸長補正回路である。３は前記黒伸長補正回路２の出力と２つの色差信号とを混合しＲＧＢ信号を得るマトリクス回路である。４は前記マトリクス回路３の３色の出力をそれぞれ入力しブラウン管を駆動するだけの出力に増幅する３つの映像出力回路である。５は映像出力回路４の３色の出力をそれぞれベースに入力しエミッタはそれぞれ３色のカソードに接続しコレクタはまとめて接続してブラウン管のカソード電流を検出するようになした３つのＰＮＰトランジスタである。６は前記３つのＰＮＰトランジスタ５のコレクタとグランド間に接続した抵抗である。７は前記３つのＰＮＰトランジスタ５のコレクタとグランド間に接続した抵抗６との間に入力を接続したＡ／Ｄコンバータである。８は前記Ａ／Ｄコンバータ７の出力を入力し映像信号の黒レベルを検出する黒レベル検出回路である。９は前記黒レベル検出回路８の出力を入力し設定値を超えると黒伸長補正回路を動作させ、設定値を下回ると黒伸長補正回路を停止させる制御信号を発生しその制御信号を前記黒伸長補正回路２の制御信号の入力に接続した黒検出処理回路である。１０は前記Ａ／Ｄコンバータの出力を入力し映像信号の白レベルを検出する白レベル検出回路である。１１はコントラスト設定値と前記白レベル検出回路１０の出力とを入力し、設定値を超えるとコントラスト制御信号を下げてコントラストを減少させ、設定値を下回るとコントラスト制御信号を上げてコントラストを上げるようになした白検出処理回路である。
【００１０】
次にその動作について述べる。図１において、復調された輝度信号は、コントラスト制御信号によりコントラストを可変するようになしたコントラスト制御回路１に入力する。そのコントラスト制御回路１の出力は、黒伸長補正回路２に入力し、黒伸長補正を受ける。その黒伸長の補正量は制御信号により制御される。次に黒伸長補正回路２の出力は、マトリクス回路３に入力し、２つの色差信号と混合され、ＲＧＢ信号（原色信号）となる。マトリクス回路３の３色の原色信号は、３つの映像出力回路４に入力し、ブラウン管を駆動するだけの出力に増幅される。映像出力回路４の３色の原色信号は、ＰＮＰトランジスタのベースに入力する。エミッタはそれぞれ３色のカソードに接続され、ブラウン管のカソードを駆動する。またコレクタは３つのトランジスタのコレクタをまとめて接続し、ブラウン管のカソード電流をまとめて流し出すようにしている。まとめられたカソード電流は、グランドに接続した抵抗６により電圧変換される。電圧変換されたカソード電流はＡ／Ｄコンバータ７に入力し、デジタル符号化される。Ａ／Ｄコンバータ７で符号化されたカソード電流は、映像信号の黒レベルを検出する黒レベル検出回路８に入力し、黒レベルが計測される。黒レベル検出回路８で計測された黒レベルは黒検出処理回路９に入力し、ある決められた設定値を超えると黒伸長補正回路を動作させ、設定値を下回ると黒伸長補正回路を停止させる制御信号を発生させる。その制御信号は前記黒伸長補正回路２の制御信号入力に接続し、黒伸長補正回路の動作を制御する。この動作により、黒信号の多いときは黒伸長補正回路２の動作を抑圧することにより、過度の黒伸長の効果による黒突っ込みを防止し、黒が浮いているときは黒伸長を効果的に利かせメリハリのある映像を得る。一方、Ａ／Ｄコンバータ７で符号化されたカソード電流は、白レベル検出回路１０に入力し、映像信号の白レベルが検出される。白レベル検出回路１０の出力は、白検出処理回路１１に入力し、決められた設定値を超えるとコントラスト制御信号を下げてコントラストを減少させ、設定値を下回るとコントラスト制御信号を上げてコントラストを上げるようなコントラスト制御信号を発生し、コントラスト制御回路１の制御入力に接続し、コントラストを制御する。この動作により、白レベルの低いときはコントラストを上げ、白レベルの高いときはコントラストを下げることにより、やはりメリハリのある映像を得る。
【００１１】
（実施例２）
請求項２では、請求項１の黒検出処理回路９に代わり、黒レベル検出回路８の出力を入力し、検出した黒レベルと設定値とを比較し、黒レベルの方が設定値より大きいときは黒伸長制御信号値が制御範囲を超えていないことを確かめた後黒伸長制御信号を決められたステップだけ増加し、黒レベルの方が設定値より小さいときは黒伸長制御信号値が制御範囲を超えていないことを確かめた後黒伸長制御信号を決められたステップだけ減少させるようになした黒検出処理回路９を用いている。
【００１２】
図２にそのフローチャートを示す。図２において、黒レベル検出回路８の出力を入力し、検出した黒レベルと設定値とを比較する。黒レベルの方が設定値より大きいときは、次のリミット判定で黒伸長制御信号値が制御範囲を超えていないことを確かめた後、黒伸長制御信号を決められたステップだけ増加させる。一方黒レベルの方が設定値より小さいときは、同じくリミット判定で黒伸長制御信号値が制御範囲を超えていないことを確かめた後、黒伸長制御信号を決められたステップだけ減少させる。この黒検出処理回路９の出力で黒伸長補正回路２を制御することにより、黒伸長制御信号が緩やかに増減することにより、黒伸長の急激な変動が避けられ、黒伸長動作による映像の急激な変化を避けることが可能となる。
【００１３】
（実施例３）
請求項３では、請求項１の白検出処理回路１１に代わり、白レベル検出回路１０の出力を入力し、検出した白レベルと設定値とを比較し、白レベルの方が設定値より大きいときはコントラスト制御信号が制御範囲を超えていないことを確かめた後コントラスト制御信号を決められたステップだけ減少させ、白レベルの方が設定値より小さいときはコントラスト制御信号が制御範囲を超えていないことを確かめた後コントラスト制御信号を決められたステップだけ増加させるようになした白検出処理回路１１を用いている。
【００１４】
図３にそのフローチャートを示す。図３において、白レベル検出回路１０の出力を入力し、検出した白レベルと設定値とを比較する。白レベルの方が設定値より大きいときは、コントラスト制御信号が制御範囲を超えていないことを確かめた後、コントラスト制御信号を決められたステップだけ減少させる。一方白レベルの方が設定値より小さいときは、コントラスト制御信号が制御範囲を超えていないことを確かめた後コントラスト制御信号を決められたステップだけ増加させる。この白検出処理回路１１の出力でコントラスト制御回路１を制御することにより、コントラストの急激な変動が避けられ、検出した白レベルの値によるコントラスト制御において緩やかなコントラスト制御が可能となる。
【００１５】
（実施例４）
請求項４では、請求項１から白レベル検出回路１０および白検出処理回路１１を省略している。これは、黒伸長補正回路の動作だけを黒検出によって補正動作を行う構成である。
【００１６】
以下図を用いてその動作の説明を行う。
図４は本発明の請求項４に係わる発明の構成を示すブロック図である。図４において、２は前記コントラスト制御回路１の出力を入力し制御信号により黒伸長の大きさを変えられる黒伸長補正回路である。３は前記黒信号補正回路２の出力と２つの色差信号とを混合しＲＧＢ信号を得るマトリクス回路である。４は前記マトリクス回路３の３色の出力をそれぞれ入力しブラウン管を駆動するだけの出力に増幅する３つの映像出力回路である。５は映像出力回路４の３色の出力をそれぞれベースに入力しエミッタはそれぞれ３色のカソードに接続しコレクタはまとめて接続してブラウン管のカソード電流を検出するようになした３つのＰＮＰトランジスタである。６は前記３つのＰＮＰトランジスタ５のコレクタとグランド間に接続した抵抗である。７は前記３つのＰＮＰトランジスタ５のコレクタとグランド間に接続した抵抗６との間に入力を接続したＡ／Ｄコンバータである。８は前記Ａ／Ｄコンバータ７の出力を入力し映像信号の黒レベルを検出する黒レベル検出回路である。９は前記黒レベル検出回路８の出力を入力し設定値を超えると黒伸長補正回路を動作させ、設定値を下回ると黒伸長回路を停止させる制御信号を発生しその制御信号を前記黒伸長補正回路２の制御信号の入力に接続した黒検出処理回路である。
【００１７】
次にその動作について述べる。図４において、復調された輝度信号は、黒伸長補正回路２に入力し、黒伸長補正を受ける。その黒伸長の補正量は制御信号により制御される。次に黒伸長補正回路２の出力は、マトリクス回路３に入力し、２つの色差信号と混合され、ＲＧＢ信号（原色信号）となる。マトリクス回路３の３色の原色信号は、３つの映像出力回路４に入力し、ブラウン管を駆動するだけの出力に増幅される。映像出力回路４の３色の原色信号は、ＰＮＰトランジスタのベースに入力する。エミッタはそれぞれ３色のカソードに接続され、ブラウン管のカソードを駆動する。またコレクタは３つのトランジスタのコレクタをまとめて接続し、ブラウン管のカソード電流をまとめて流し出すようにしている。まとめられたカソード電流は、グランドに接続した抵抗６により電圧変換される。電圧変換されたカソード電流はＡ／Ｄコンバータ７に入力し、デジタル符号化される。Ａ／Ｄコンバータ７で符号化されたカソード電流は、映像信号の黒レベルを検出する黒レベル検出回路８に入力し、黒レベルが計測される。黒レベル検出回路８で計測された黒レベルは黒検出処理回路９に入力し、ある決められた設定値を超えると黒伸長補正回路を動作させ、設定値を下回ると黒伸長回路を停止させる制御信号を発生させる。その制御信号は前記黒伸長補正回路２の制御信号入力に接続し、黒伸長補正回路の動作を制御する。この動作により、黒信号の多いときは黒伸長補正回路２の動作を抑圧することにより、過度の黒伸長の効果による黒突っ込みを防止し、黒が浮いているときは黒伸長を効果的に利かせメリハリのある映像を得る。
【００１８】
以上の構成により、有効な自動映像補正が可能となる。
（実施例５）
請求項５では、請求項１から黒伸長補正回路２および黒レベル検出回路８および黒検出処理回路を省略している。これは、コントラスト制御だけを白検出により行う構成である。
【００１９】
以下図を用いてその動作の説明を行う。図５は本発明の請求項５に係わる発明の構成を示すブロック図である。図５において、１は復調された輝度信号を入力しコントラスト制御信号によりコントラストを可変するようになしたコントラスト制御回路である。３は前記コントラスト制御回路１の出力と２つの色差信号とを混合しＲＧＢ信号を得るマトリクス回路である。４は前記マトリクス回路３の３色の出力をそれぞれ入力しブラウン管を駆動するだけの出力に増幅する３つの映像出力回路である。５は映像出力回路４の３色の出力をそれぞれベースに入力しエミッタはそれぞれ３色のカソードに接続しコレクタはまとめて接続してブラウン管のカソード電流を検出するようになした３つのＰＮＰトランジスタである。６は前記３つのＰＮＰトランジスタ５のコレクタとグランド間に接続した抵抗である。７は前記３つのＰＮＰトランジスタ５のコレクタとグランド間に接続した抵抗６との間に入力を接続したＡ／Ｄコンバータである。１０は前記Ａ／Ｄコンバータの出力を入力し映像信号の白レベルを検出する白レベル検出回路である。１１はコントラスト設定値と前記白レベル検出回路１０の出力とを入力し、設定値を超えるとコントラスト制御信号を下げてコントラストを減少させ、設定値を下回るとコントラスト制御信号を上げてコントラストを上げるようになした白検出処理回路である。
【００２０】
次にその動作について述べる。図５において、復調された輝度信号は、コントラスト制御信号によりコントラストを可変するようになしたコントラスト制御回路１に入力する。そのコントラスト制御回路１の出力は、マトリクス回路３に入力し、２つの色差信号と混合され、ＲＧＢ信号（原色信号）となる。マトリクス回路３の３色の原色信号は、３つの映像出力回路４に入力し、ブラウン管を駆動するだけの出力に増幅される。映像出力回路４の３色の原色信号は、ＰＮＰトランジスタのベースに入力する。エミッタはそれぞれ３色のカソードに接続され、ブラウン管のカソードを駆動する。またコレクタは３つのトランジスタのコレクタをまとめて接続し、ブラウン管のカソード電流をまとめて流し出すようにしている。まとめられたカソード電流は、グランドに接続した抵抗６により電圧変換される。電圧変換されたカソード電流はＡ／Ｄコンバータ７に入力し、デジタル符号化される。Ａ／Ｄコンバータ７で符号化されたカソード電流は、白レベル検出回路１０に入力し、映像信号の白レベルが検出される。白レベル検出回路１０の出力は、白検出処理回路１１に入力し、決められた設定値を超えるとコントラスト制御信号を下げてコントラストを減少させ、設定値を下回るとコントラスト制御信号を上げてコントラストを上げるようなコントラスト制御信号を発生し、コントラスト制御回路１の制御入力に接続し、コントラストを制御する。この動作により、白レベルの低いときはコントラストを上げ、白レベルの高いときはコントラストを下げることにより、やはりメリハリのある映像を得る。
【００２１】
この構成により、有効な自動映像補正が可能となる。
【００２２】
【発明の効果】
以上のように、本発明の復調された輝度信号を入力しコントラスト制御信号によりコントラストを可変するようになしたコントラスト制御回路１と、前記コントラスト制御回路１の出力を入力し制御信号により黒伸長の大きさを変えられる黒伸長補正回路２と、前記黒信号補正回路２の出力と２つの色差信号とを混合しＲＧＢ信号を得るマトリクス回路３と、前記マトリクス回路３の３色の出力をそれぞれ入力しブラウン管を駆動するだけの出力に増幅する３つの映像出力回路４と、映像出力回路４の３色の出力をそれぞれベースに入力しエミッタはそれぞれ３色のカソードに接続しコレクタはまとめて接続してブラウン管のカソード電流を検出するようになした３つのＰＮＰトランジスタ５と、前記３つのＰＮＰトランジスタ５のコレクタとグランド間に接続した抵抗６と、前記３つのＰＮＰトランジスタ５のコレクタとグランド間に接続した抵抗６との間に入力を接続したＡ／Ｄコンバータ７と、前記Ａ／Ｄコンバータ７の出力を入力し映像信号の黒レベルを検出する黒レベル検出回路８と、前記黒レベル検出回路８の出力を入力し設定値を超えると黒伸長補正回路を動作させ、設定値を下回ると黒伸長補正回路を停止させる制御信号を発生しその制御信号を前記黒伸長補正回路２の制御信号の入力に接続した黒検出処理回路９と、前記Ａ／Ｄコンバータの出力を入力し映像信号の白レベルを検出する白レベル検出回路１０と、コントラスト設定値と前記白レベル検出回路１０の出力とを入力し、設定値を超えるとコントラスト制御信号を下げてコントラストを減少させ、設定値を下回るとコントラスト制御信号を上げてコントラストを上げるようになした白検出処理回路１１、という構成によれば、安価にて有効な自動映像補正回路を得ることが可能となる。
【００２３】
なお、本発明では説明の都合で、マトリクス回路にて、原色信号に直した後、ブラウン管を駆動する映像出力回路という構成を取ったが、映像出力回路に輝度信号および色差信号を入力し、映像出力回路にて、マトリクス動作を同時に行っても同様の効果が得られることは明らかである。
【図面の簡単な説明】
【図１】本発明の請求項１に係わる発明の構成を示すブロック図
【図２】本発明の請求項２に係わる発明の構成を示すフローチャート
【図３】本発明の請求項３に係わる発明の構成を示すフローチャート
【図４】本発明の請求項４に係わる発明の構成を示すブロック図
【図５】本発明の請求項５に係わる発明の構成を示すブロック図
【図６】従来の実施例を説明するブロック図
【符号の説明】
１  コントラスト制御回路
２  黒伸長補正回路
３  マトリクス回路
４  ３つの映像出力回路
５  ３つのＰＮＰトランジスタ
６  抵抗
７  Ａ／Ｄコンバータ
８  黒レベル検出回路
９  黒検出処理回路
１０  白レベル検出回路
１１  白検出処理回路
【図１】
0003717965.tif 000002
【図２】
0003717965.tif 000003
【図３】
0003717965.tif 000004
【図４】
0003717965.tif 000005
【図５】
0003717965.tif 000006
【図６】
0003717965.tif 000007